(57)【要約】【課題】スキャン動作の発生頻度を低減できる撮像装置を提供する。【解決手段】本発明の撮像装置１０は、撮像面における合焦情報を複数の合焦エリアについてそれぞれ検出する合焦情報検出部１４と、前記合焦情報検出部１４による合焦情報に基づいて合焦制御する合焦制御部３１と、を備え、前記合焦制御部３１は、設定された第１の合焦エリアＡ１の前記合焦情報検出部１４における合焦情報による合焦の可否を判定する合焦可否判定部３１Ａと、前記合焦情報検出部１４が合焦情報を検出する合焦エリアを、前記合焦可否判定部３１Ａによる前記第１の合焦エリアＡ１における合焦不能判定に基づいて前記第１の合焦エリアＡ１を含む当該第１の合焦エリアＡ１より広い第２の合焦エリアＡ２に変更する合焦エリア変更部３１Ｂと、を備えること、を特徴とする。【選択図】図１
2013120318.tif 000002
【特許請求の範囲】
【請求項１】
撮像面における合焦情報を複数の合焦エリアについてそれぞれ検出する合焦情報検出部と、
前記合焦情報検出部による合焦情報に基づいて合焦制御する合焦制御部と、
を備え、
前記合焦制御部は、
設定された第１の合焦エリアの前記合焦情報検出部における合焦情報による合焦の可否を判定する合焦可否判定部と、
前記合焦情報検出部が合焦情報を検出する合焦エリアを、前記合焦可否判定部による前記第１の合焦エリアにおける合焦不能判定に基づいて前記第１の合焦エリアを含む当該第１の合焦エリアより広い第２の合焦エリアに変更する合焦エリア変更部と、
を備えること、を特徴とする撮像装置。
【請求項２】
請求項１に記載の撮像装置であって、
前記合焦エリア変更部は、
前記第２の合焦エリアの合焦情報に基づく合焦制御中において、前記合焦可否判定部による前記第１の合焦エリアにおける合焦判定が合焦可能となると、合焦エリアを前記第１の合焦エリアに変更すること、
を特徴とする撮像装置。
【請求項３】
請求項１または２に記載の撮像装置であって、
前記合焦制御部は、合焦レンズのスキャン動作の実行前に、前記合焦エリア変更部による合焦エリアの変更を行うこと、
を特徴とする撮像装置。
【請求項４】
請求項３に記載の撮像装置であって、
前記合焦制御部は、前記合焦可否判定部による前記第２の合焦エリアにおける合焦不能判定に基づいて、前記スキャン動作を実行すること、
を特徴とする撮像装置。
【請求項５】
請求項１または２に記載の撮像装置であって、
前記合焦エリア変更部は、前記合焦可否判定部による前記第２の合焦エリアにおける合焦不能判定に基づいて、前記合焦情報検出部において合焦情報を検出する合焦エリアを前記第２の合焦エリアを含む当該第２の合焦エリアより広い第３の合焦エリアに変更すること、
を特徴とする撮像装置。
【請求項６】
請求項１、２または５のいずれか１項に記載の撮像装置であって、
前記合焦制御部は、前記合焦エリア変更部が、前記合焦情報検出部において合焦情報を検出する合焦エリアを前記第２の合焦エリアまたは前記第３の合焦エリアに変更した後、前記合焦可否判定部による合焦不能判定に基づくスキャン動作を行わないこと、
を特徴とする撮像装置。
【請求項７】
請求項１〜６のいずれか１項に記載の撮像装置であって、
レンズ情報を受信するレンズ情報受信手段を備え、
前記合焦エリア変更部は、前記レンズ情報受信手段を介して入力されたレンズ情報に基づいて合焦エリアの変更を行うこと、
を特徴とする撮像装置。
【請求項８】
請求項１に記載の撮像装置であって、
前記合焦エリア変更部において合焦エリアを変更する条件である、前記合焦可否判定部における合焦可否判定の回数を判断する判定回数設定部を備え、
前記判定回数設定部は、レンズの焦点距離が長い、Ｆ値が小さい、被写体が暗い、被写体までの距離が近い、の内の少なくとも１つの条件に基づいて、前記合焦可否判定の回数を設定すること、
を特徴とする撮像装置。
【請求項９】
請求項１〜８のいずれか１項に記載の撮像装置であって、
主要被写体を検出する主要被写体検出部を備え、
前記合焦エリア変更部は、前記主要被写体検出部によって検出された主要被写体の倍率が大きい場合には、合焦エリアの拡大率を大きく設定すること、
を特徴とする撮像装置。
【発明の詳細な説明】
【技術分野】
【０００１】
本発明は、オートフォーカス機能を備える撮像装置に関するものである。
【背景技術】
【０００２】
オートフォーカス（以下、ＡＦと略記する）機能を備えるカメラでは、被写体の輝度やコントラストが低い場合、フォーカスレンズを至近端から無限端までスキャン動作させて、輝度やコントラストが高い状態で合焦させる。しかし、このようなスキャン動作は時間を要する。また、スキャン中は、ファインダー内の被写体が著しいピンボケ状態になり、被写体を捕捉し続けることが困難となる。
このような弊害を抑制するため、たとえば、測距値の信頼度を設定し、信頼度の高い場合はスキャン範囲を制限する構成が提案されている（特許文献１参照）。
【先行技術文献】
【特許文献】
【０００３】
【特許文献１】特開２００２−２７７７２４号公報
【発明の概要】
【発明が解決しようとする課題】
【０００４】
しかしながら、上記従来のように測距値の信頼度に基づいてスキャン範囲を制限するものでは、被写体自体がローコントラストであれば総じて信頼度が低く、スキャンが必要となって結果としてスキャン数を抑制できない。
【０００５】
本発明の課題は、スキャン動作の発生頻度を低減できる撮像装置を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、撮像面における合焦情報を複数の合焦エリアについてそれぞれ検出する合焦情報検出部（１４）と、前記合焦情報検出部（１４）による合焦情報に基づいて合焦制御する合焦制御部（３１）と、を備え、前記合焦制御部（３１）は、設定された第１の合焦エリア（Ａ１）の前記合焦情報検出部（１４）における合焦情報による合焦の可否を判定する合焦可否判定部（３１Ａ）と、前記合焦情報検出部（１４）が合焦情報を検出する合焦エリアを、前記合焦可否判定部（３１Ａ）による前記第１の合焦エリア（Ａ１）における合焦不能判定に基づいて前記第１の合焦エリア（Ａ１）を含む当該第１の合焦エリア（Ａ１）より広い第２の合焦エリア（Ａ２）に変更する合焦エリア変更部（３１Ｂ）と、を備えること、を特徴とする撮像装置（１０）である。
請求項２に記載の発明は、請求項１に記載の撮像装置であって、前記合焦エリア変更部（３１Ｂ）は、前記第２の合焦エリア（Ａ２）の合焦情報に基づく合焦制御中において、前記合焦可否判定部（３１Ａ）による前記第１の合焦エリア（Ａ１）における合焦判定が合焦可能になると、合焦エリアを前記第１の合焦エリア（Ａ１）に変更すること、を特徴とする撮像装置（１０）である。
請求項３に記載の発明は、請求項１または２に記載の撮像装置であって、前記合焦制御部（３１）は、合焦レンズ（２１）のスキャン動作の実行前に、前記合焦エリア変更部（３１Ｂ）による合焦エリアの変更を行うこと、を特徴とする撮像装置（１０）である。
請求項４に記載の発明は、請求項３に記載の撮像装置であって、前記合焦制御部（３１）は、前記合焦可否判定部（３１Ａ）による前記第２の合焦エリア（Ａ２）における合焦不能判定に基づいて、前記スキャン動作を実行すること、を特徴とする撮像装置（１０）である。
請求項５に記載の発明は、請求項１または２に記載の撮像装置であって、前記合焦エリア変更部（３１Ｂ）は、前記合焦可否判定部（３１Ａ）による前記第２の合焦エリア（Ａ２）における合焦不能判定に基づいて、前記合焦情報検出部（１４）において合焦情報を検出する合焦エリアを前記第２の合焦エリア（Ａ２）を含む当該第２の合焦エリア（Ａ２）より広い第３の合焦エリアに変更すること、を特徴とする撮像装置（１０）である。
請求項６に記載の発明は、請求項１，２または５のいずれか１項に記載の撮像装置であって、前記合焦制御部（３１）は、前記合焦エリア変更部（３１Ｂ）が、前記合焦情報検出部（１４）において合焦情報を検出する合焦エリアを前記第２の合焦エリア（Ａ２）または前記第３の合焦エリアに変更した後、前記合焦可否判定部（３１Ａ）による合焦不能判定に基づくスキャン動作を行わないこと、を特徴とする撮像装置（１０）である。
請求項７に記載の発明は、請求項１〜６のいずれか１項に記載の撮像装置であって、レンズ情報を受信するレンズ情報受信手段（１６）を備え、前記合焦エリア変更部（３１Ｂ）は、前記レンズ情報受信手段（１６）を介して入力されたレンズ情報に基づいて合焦エリアの変更を行うこと、を特徴とする撮像装置（１０）である。
請求項８に記載の発明は、請求項１に記載の撮像装置であって、前記合焦エリア変更部（３１Ｂ）において合焦エリアを変更する条件である、前記合焦可否判定部（３１Ａ）における合焦可否判定の回数を判断する判定回数設定部（３１Ｃ）を備え、前記判定回数設定部（３１Ｃ）は、レンズ鏡筒（２０）の焦点距離が長い、Ｆ値が小さい、被写体が暗い、被写体までの距離が近い、の内の少なくとも１つの条件に基づいて、前記合焦可否判定の回数を設定すること、を特徴とする撮像装置（１０）である。
請求項９に記載の発明は、請求項１〜８のいずれか１項に記載の撮像装置であって、主要被写体を検出する主要被写体検出部（３１Ｄ）を備え、前記合焦エリア変更部（３１Ｂ）は、前記主要被写体検出部（３１Ｄ）によって検出された主要被写体の倍率が大きい場合には、合焦エリアの拡大率を大きく設定すること、を特徴とする撮像装置（１０）である。
【発明の効果】
【０００８】
本発明によれば、スキャン動作の発生頻度を低減できる撮像装置を提供できる。
【図面の簡単な説明】
【０００９】
【図１】本発明における撮影装置の一実施形態であるカメラの概念構成図である。
【図２】撮像画面におけるＡＦエリアの配置と作用ＡＦエリアを示す図である。
【図３】ＡＦエリア変更部によるＡＦエリアの変更を説明する図である。
【図４】ＡＦ制御部によるＡＦ制御のフローチャートである。
【発明を実施するための形態】
【００１０】
以下、図面等を参照して、本発明の実施形態について説明する。
図１は、本発明における撮影装置の一実施形態であるカメラ１の概念構成図である。
カメラ１は、カメラ本体１０と、このカメラ本体１０に着脱可能なレンズ鏡筒２０と、によって構成されたレンズ交換式のデジタルカメラである。
カメラ本体１０は、ミラー部１１と、ファインダー光学系１２と、撮像素子１３と、測距部１４と、操作部１５と、電気接点１６と、制御部３０と、を備えている。
【００１１】
ミラー部１１は、メインミラー１１Ｍと、その背面に装着されたサブミラー１１Ｓとを備えたいわゆるクイックリターンミラーである。
メインミラー１１Ｍは、レンズ鏡筒２０からの像光の光路中に介在する作用位置と、像光の撮像部１２への入射を妨げない不作用位置との間を揺動可能に設けられている。
メインミラー１１Ｍは、作用位置では、像光を後述するファインダー光学系１２に向けて反射する。また、メインミラー１１Ｍは、その一部がハーフミラーとなっており、作用位置において、像光の一部を透過させる。
サブミラー１１Ｓは、メインミラー１１Ｍの背面側に、そのハーフミラー部分を透過した像光を反射して後述する測距部１４に入射させるように設けられている。
【００１２】
ファインダー光学系１２は、スクリーン１２Ａと、ペンタプリズム１２Ｂと、接眼レンズ１２Ｃと、を備え、ミラー部１１のメインミラー１１Ｍによって反射されてスクリーン１２Ａに結像した被写体像を、ペンタプリズム１２Ｂ、接眼レンズ１２Ｃを介して使用者が観察し得るように構成されている。
撮像素子１３は、被写体光を電気信号に変換するＣＣＤやＣＭＯＳ等の光電変換素子であって、レンズ鏡筒２０の結像光学系による結像面の画像情報を電気信号に変換し、制御部３０に出力する。
【００１３】
測距部１４は、ミラー部１１のサブミラー１１Ｓによって反射された被写体光が入射する。測距部１４は、詳細な説明は省略するが、マスク部および再結像レンズと、撮像領域の所定位置に設定された複数のＡＦエリアに対応してそれぞれ配置されたセンサユニットとを備え、各ＡＦエリアに対応した焦点検出情報（合焦用像検知信号）を制御部３０に出力する。
本実施形態では、後述する図２に示すように、図中矩形で示すＡＦエリアは、撮像画面２（撮像領域）の中央を中心として、菱形に４７箇所配設されている。なお、このＡＦエリアの数及び配置は、図２に示す数及び配置に限定されるものではなく、異なる数及び配置であってもよい。
【００１４】
操作部１５は、カメラ１の操作を行うための図示しない各種スイッチ類によって構成されている。たとえば、カメラ１の動作モードを選択するためのモード選択スイッチ、ＡＦエリアを選択するためのエリア選択スイッチ、焦点調節（ＡＦ）の開始および撮影を指示するためのレリーズボタンなどが含まれる。
【００１５】
電気接点１６は、カメラ本体１０に対してレンズ鏡筒２０を結合するマウント部（不図示）に設けられ、カメラ本体１０の制御部３０と後述するレンズ鏡筒２０のレンズ制御部２４とを通信（情報交換）可能に接続する。
【００１６】
制御部３０は、ＣＰＵやメモリ等を備えて構成されており、当該カメラ１の動作制御を行う。また、これらの処理や制御において必要な情報を一時的に記憶する。
また、制御部３０は、図１中に示すように、ＡＦ関連の制御を行うＡＦ制御部３１を備えている。さらに、ＡＦ制御部３１は、機能部として、合焦可否判定部３１Ａと、ＡＦエリア変更部３１Ｂと、判定回数設定部３１Ｃと、主要被写体検出部３１Ｄと、を備えている。このＡＦ制御部３１については、後に詳述する。
【００１７】
レンズ鏡筒２０は、結像光学系を構成する複数のレンズ群（図１においてはフォーカスレンズ２１のみ示す）と、レンズ駆動部２２と、レンズ位置検出部２３と、レンズ制御部２４と、を備えている。
フォーカスレンズ２１は、光軸ＯＡ方向に移動して結像位置を調節するレンズである。
レンズ駆動部２２は、レンズ制御部２４によって制御され、フォーカスレンズ２１を移動駆動（焦点調節駆動）する。
【００１８】
レンズ位置検出部２３は、フォーカスレンズ２１の光軸ＯＡ方向における位置を検出し、その検出信号を制御情報としてレンズ制御部２４に出力する。
レンズ制御部２４は、ＣＰＵ等を備えて構成され、カメラ本体１０が備える制御部３０の制御下で、レンズ位置検出部２３の検出信号に基づいてレンズ駆動部２２を駆動制御する。また、レンズ制御部２４は、当該レンズ鏡筒２０における固有の情報（焦点距離や開放Ｆ値等）等を、図示しないメモリに格納保持しており、これらの情報や各機能部のフィードバック情報を制御情報としてカメラ本体１０の制御部３０に入力する。
【００１９】
上記のように構成されたカメラ１は、制御部３０に制御されて下記のように作用し、合焦および撮影動作を行う。
すなわち、レリーズボタン（操作部１５）の半押し等によってＡＦ駆動が指令されると、測距部１４からの選択されたＡＦエリアの焦点検出情報（合焦用像検知信号）に基づいてレンズ鏡筒２０のレンズ制御部２４を介してフォーカスレンズ２１を駆動して合焦作用を行う。その後、レリーズボタンの全押し等によって撮影が指令されると、ミラー部１１のメインミラー１１Ｍを光路外の退避位置へと移動し、設定された露出で撮像素子１３がその撮像面に結像された被写体像を電気信号に変換して撮像する。撮像した画像情報は、図示しないメモリーカード等に記録する。
【００２０】
つぎに、前述した図１に加えて図２〜図４を参照し、制御部３０におけるＡＦ制御部３１の構成およびＡＦ制御について説明する。図２は、撮像画面におけるＡＦエリアの配置と作用ＡＦエリアを示す図である。図３は、ＡＦエリア変更部３１ＢによるＡＦエリアの変更を説明する図である。図４は、ＡＦ制御部３１によるＡＦ制御のフローチャートである。
【００２１】
前述したように、ＡＦ制御部３１は、合焦可否判定部３１Ａと、ＡＦエリア変更部３１Ｂと、判定回数設定部３１Ｃと、主要被写体検出部３１Ｄと、を備えている。
合焦可否判定部３１Ａは、設定されたＡＦエリア（設定ＡＦエリア）における焦点検出情報の評価値に基づいて合焦制御が可能か否かを判定する。
ＡＦエリア変更部３１Ｂは、適用ＡＦエリアによる合焦制御が合焦可否判定部３１Ａによって困難と判定されると、適用するＡＦエリアを拡大設定する。
【００２２】
判定回数設定部３１Ｃは、合焦可否判定部３１Ａにおける判定回数を、レンズの焦点距離、Ｆ値、被写体の明るさ、被写体までの距離、等の条件に基づいて判断する。
主要被写体検出部３１Ｄは、画像認識によって主要被写体を認識し、その倍率に基づいて、ＡＦエリアの拡大率を変化させる。
【００２３】
そして、ＡＦ制御部３１は、レリーズボタン（操作部１５）の半押し等によって合焦が指令されると、測距部１４における設定されたＡＦエリア（設定ＡＦエリア）の焦点検出情報に基づいて、レンズ鏡筒２０の焦点調節状態（ピントのずれ量）を表すデフォーカス量を算出すると共にレンズ鏡筒２０におけるフォーカスレンズ２１の駆動量を演算し、この駆動量情報をレンズ鏡筒２０のレンズ制御部２４に送り、レンズ駆動部２２によってフォーカスレンズ２１を移動駆動してＡＦ駆動を行う。
【００２４】
ここで、ＡＦ制御部３１は、設定ＡＦエリアにおける焦点検出情報の評価値が低く（コントラストや明るさが低く）、合焦可否判定部３１Ａによって合焦不能と判定された場合には、ＡＦエリア変更部３１Ｂが、焦点検出情報を得る（適用する）ＡＦエリアを、設定ＡＦエリアの周囲に拡大して焦点検出情報を得る。
【００２５】
たとえば、図２（ａ）に示すように、撮像画面２の中央のＡＦエリアＡ１を設定ＡＦエリアとして、その設定ＡＦエリアＡ１における焦点検出情報の評価値が低く、合焦可否判定部３１Ａによって合焦不能と判定されると、ＡＦエリア変更部３１Ｂが、図２（ｂ）に示すように、適用するＡＦエリアを設定ＡＦエリアＡ１の周囲の８個のＡＦエリア（拡大ＡＦエリアＡ２）に拡大（変更）する。
【００２６】
そして、それら８個の拡大ＡＦエリアＡ２から焦点検出情報を得て、その中で評価値に達したＡＦエリアがあれば、そのＡＦエリアの焦点検出情報に基づいて合焦制御を行う。
評価値に達したＡＦエリアが複数ある場合には、評価値が最も高いものを選択する。
また、８個のＡＦエリアＡ２の焦点検出時においていずれかで評価値が得られれば、即時にその焦点検出情報を採用して他のＡＦエリアＡ２の焦点検出を省略し、合焦時間の短縮を図る構成としても良い。
【００２７】
評価値に達したＡＦエリアがない場合には、スキャン動作を行うか、または、図２（ｃ）に示すように、適用するＡＦエリアをさらに周囲の２５個のＡＦエリア（再拡大ＡＦエリアＡ３）にまで拡大（変更）して焦点検出を試みる。なお、ＡＦエリアの拡大は、この例に限るものではなく全ＡＦエリアまで可能である。
【００２８】
一例として、図３（ａ）に示すように、被写体３（サッカー選手）の胸部の番号部分に設定ＡＦエリアＡ１が対応しているような場合には、コントラストが高く、合焦可否判定部３１Ａは合焦可能と判定する。一方、図３（ｂ）に示すように、設定ＡＦエリアＡ１が被写体３の胸部の番号部分から外れたユニフォームの無地部位に対応していれば、コントラストが低く、合焦可否判定部３１Ａは合焦不能と判定することになる。
【００２９】
合焦可否判定部３１Ａが合焦不能と判定した図３（ｂ）に示すような状況では、図３（ｃ）に示すように、ＡＦエリア変更部３１Ｂが、適用するＡＦエリアを、設定ＡＦエリアＡ１の周囲８個のＡＦエリアＡ２に拡大する、この例では、拡大ＡＦエリアＡ２の１つ（拡大ＡＦエリアＡ２ａ）が被写体３の胸部の番号部分に対応しており、拡大ＡＦエリアＡ２ａからは評価値の高い焦点検出情報が得られる。この場合には、拡大ＡＦエリアＡ２ａの焦点検出情報に基づいてＡＦ駆動する。
【００３０】
なお、判定回数設定部３１Ｃは、前述した各条件に基づいて合焦可否判定部３１Ａの判定回数を設定する。つまり、一度のみの判定でなく複数回の判定を行わせるものであり、これは、極力適用ＡＦエリアＡ１を優先した焦点調整を行うためである。ここで、焦点距離が長い、Ｆ値が小さい、被写体が暗い、被写体までの距離が近い、場合には、判定回数を多く設定する。
【００３１】
また、主要被写体検出部３１Ｄは、主要被写体の倍率が大きい場合には、ＡＦエリアの拡大率を大きくする。たとえば、図２（ａ）に示すように中央のＡＦエリアＡ１で合焦不能と判定された場合、つぎに図２（ｃ）に示すように適用するＡＦエリアを周囲の２５個のＡＦエリアにまで拡大するものである。これは、主要被写体の倍率が大きい場合は、画面中における被写体の占める割合が大きいため、広い範囲で焦点検出を行っても主要被写体から外れてしまう虞は少なく、これによって合焦を優先させることができる。
【００３２】
つぎに、このＡＦ制御部３１によるＡＦ制御を、図４に示すフローチャートに沿って説明する。なお、以下の説明中における構成要素の符号は、図１参照のこと。また、図中および以下の説明において、ステップは「Ｓ」とも略記する。
【００３３】
操作部１６のエリア選択スイッチによって設定ＡＦエリアが選択され（Ｓ４０１）、シャッターボタンが半押し操作されると（Ｓ４０２）、合焦可否判定部３１Ａが設定ＡＦエリアにおける焦点検出情報に基づいて焦点検出の可否判定を行う（Ｓ４０３）。なお、この判定は、判定回数設定部３１Ｃの判断によって複数回行っても良い。
【００３４】
ステップ４０３において、設定ＡＦエリアで焦点検出が可能と判定された場合（Ｙｅｓ）には、設定ＡＦエリアにおける焦点検出情報に基づいて合焦駆動を行い（Ｓ４１１）、レリーズボタンの全押しによる撮影指令を待機する（Ｓ４１２）。
一方、ステップ４０３において、設定ＡＦエリアで焦点検出が不可と判定された場合（Ｎｏ）には、ＡＦエリア変更部３１Ｂが、適用するＡＦエリアを、設定ＡＦエリアの周囲に拡大した拡大ＡＦエリアで焦点検出を行う（Ｓ４０４）。
【００３５】
そして、合焦可否判定部３１Ａが、拡大ＡＦエリアにおける焦点検出情報に基づいて合焦可否判定を行う（Ｓ４０５）。
ステップ４０５において、拡大ＡＦエリアでも合焦不能と判定された場合（Ｎｏ）には、スキャン動作を行う。
一方、ステップ４０５において、拡大ＡＦエリアで合焦可能と判定された場合（Ｙｅｓ）には、拡大ＡＦエリアにおける焦点検出情報に基づいて合焦駆動を行い（Ｓ４０８〜Ｓ４１０）、レリーズボタンの全押しによる撮影指令を待機する（Ｓ４１２）。
【００３６】
また、ステップ４０８の前、および合焦駆動中（ステップ４０８と４１０との間）において並行して、設定ＡＦエリアにおける焦点検出情報に基づいて合焦可否判定を試み（Ｓ４０７，Ｓ４０９）、設定ＡＦエリアで焦点検出が可能と判定された場合（Ｙｅｓ）には、拡大ＡＦエリアにおける焦点検出を中止して適用ＡＦエリアにおける焦点検出情報に基づいて合焦駆動を行い（Ｓ４１１）、レリーズボタンの全押しによる撮影指令を待機する（Ｓ４１２）。
【００３７】
そして、ステップ４１２においてレリーズボタンの全押しによる撮影指令が判断される（Ｙｅｓ）と、撮影が行われる（４１３）。
ステップ４１２においてレリーズボタンの全押しによる撮影指令が判断されない（Ｎｏ）場合、および、ステップ４１３の撮影終了後は、ステップ４０２に戻る。
【００３８】
以上、本実施形態によると、以下の効果を有する。
カメラ１では、ＡＦ制御部３１が、測距部１４における設定されたＡＦエリア（設定ＡＦエリア）における焦点検出情報の評価値が低く、合焦可否判定部３１Ａによって合焦不能と判定された場合には、ＡＦエリア変更部３１Ｂが、焦点検出情報を得る（適用する）ＡＦエリアを、設定ＡＦエリアの周囲に拡大して焦点検出情報を得、ＡＦ駆動する。これにより、スキャン動作を行うことなく設定ＡＦエリアの近傍における合焦可能なＡＦエリアを探して合焦することができ、スキャン動作の発生頻度を低減できる。
その結果、スキャン動作に時間を要してシャッターチャンスを逃がすといった不具合の発生を抑制できる。
【００３９】
（変形形態）
以上、説明した実施形態に限定されることなく、以下に示すような種々の変形や変更が可能であり、それらも本発明の範囲内である。
（１）上記実施形態は、本発明をレンズ交換式の一眼レフデジタルカメラに適用したものである。しかし、本発明はこれに限らず、レンズ固定式のカメラに適用しても良いものである。
（２）上記実施形態では、本発明を測距部１４が位相差に基づく焦点検出情報を検出するカメラに適用した例を示した、しかし、焦点検出情報の検出は、撮像素子の撮像におけるコントラストを焦点検出情報とするものであっても良い。
【００４０】
なお、実施形態及び変形形態は、適宜組み合わせて用いることもできるが、詳細な説明は省略する。また、本発明は以上説明した実施形態によって限定されることはない。
【符号の説明】
【００４１】
１：カメラ、２：撮像画面、３：被写体、１０：カメラ本体、１４：測距部、１６：電気接点、３０：制御部、３１：ＡＦ制御部、３１Ａ：合焦可否判定部、３１Ｂ：ＡＦエリア変更部、３１Ｃ：判定回数設定部、３１Ｄ：主要被写体検出部、２０：レンズ鏡筒、２１：フォーカスレンズ、Ａ１：設定ＡＦエリア、Ａ２：拡大ＡＦエリア、Ａ２ａ：拡大ＡＦエリア、Ａ３：再拡大ＡＦエリア
【図１】
2013120318.tif 000003
【図２】
2013120318.tif 000004
【図３】
2013120318.tif 000005
【図４】
2013120318.tif 000006